(57)【要約】【課題】  従来の照明器具のソケットにそのまま装着することができ、しかも、ＬＥＤランプの下方の床面または路面の照度を高めることができるＬＥＤランプを提供する。【解決手段】  ＬＥＤランプ１は、屈曲可能なリード３ａを備えるとともに、所定の照射角を有する砲弾型のＬＥＤ２と、表面側に複数のＬＥＤ３を実装するＬＥＤ基板２と、電源供給用のソケットに着脱可能に接続され、複数のＬＥＤ３にＬＥＤ基板２を通じて電力を供給するための口金４を備え、ＬＥＤ３はＬＥＤ基板２から離間させてリード３ａを露出させるとともに所定角度屈曲させ、ＬＥＤ基板２表面に対してＬＥＤ３の照射方向を所定角度傾斜させる。【選択図】図１
2014096342.tif 000002
【特許請求の範囲】
【請求項１】
屈曲可能なリードを備えるとともに、所定の照射角を有する砲弾型のＬＥＤと、
表面側に複数の前記ＬＥＤを実装するＬＥＤ基板と、
電源供給用のソケットに着脱可能に接続され、複数の前記ＬＥＤに上記ＬＥＤ基板を通じて電力を供給するための口金を備え、
前記ＬＥＤは前記ＬＥＤ基板から離間させて前記リードを露出させるとともに所定角度屈曲させ、前記ＬＥＤ基板表面に対して前記ＬＥＤの照射方向を所定角度傾斜させたことを特徴とするＬＥＤランプ。
【請求項２】
砲弾型のＬＥＤはリードを所定角度屈曲させ、前記ＬＥＤの照射方向を口金側の方向または前記口金と反対側方向に所定角度傾斜させた請求項１に記載のＬＥＤランプ。
【請求項３】
複数のＬＥＤ基板は板状に形成されて、各々表面側に複数のＬＥＤが実装され、
前記ＬＥＤ基板は、前記ＬＥＤが実装された表面側が外方を向き、かつ隣り合う前記ＬＥＤ基板の一辺同士を互いに接合させて前記ＬＥＤ基板により多角形状の筒状に形成した請求項１及び２に記載のＬＥＤランプ。
【請求項４】
多角形状の筒状に形成した複数のＬＥＤ基板には、複数のＬＥＤが照射方向を口金側と反対方向に所定角度傾斜するようにリードを所定角度屈曲させて実装され、複数の前記ＬＥＤ基板によって形成された多角形状の開口側に配設される多角形基板には、垂直な照射方向とした複数のＬＥＤを実装した請求項３に記載のＬＥＤランプ。
【発明の詳細な説明】
【技術分野】
【０００１】  本発明は、発光ダイオード（以下、ＬＥＤという）を光源とし、口金から電源が供給されるＬＥＤランプに関する。
【背景技術】
【０００２】  ＬＥＤランプは、省電力、長寿命である特徴を有することから、照明装置として多用されている。現在では、従来から使用されている白熱電球や、水銀灯などの口金と同規格の口金を備えることで、従来の照明器具のソケットにそのまま装着できるＬＥＤランプが提供されている。例えば水銀灯においては、特開２０１０−１８２７９６号公報（特許文献１）、あるいは、特開２０１１−９０６４号公報（特許文献２）に示すように、従来の水銀灯をＬＥＤランプに代用することが提案されている。【０００３】  水銀灯は、構造が比較的容易で廉価に製造できることから、たとえば街灯、体育館および工場などの照明に広く用いられている。水銀灯は、たとえばガラス管内に封入された水銀蒸気中でアーク放電を生じさせ、その放電によって発生した光を放射するものである。水銀灯は、放電により発生した光を放射することにより、遠方まで光を届かせることができるため、上記したような広範囲の領域を照らす場合によく適用される。
【先行技術文献】
【特許文献】
【０００４】
【特許文献１】特開２０１０−１８２７９６号公報
【特許文献２】特開２０１１−９０６４号公報
【発明の開示】
【発明が解決しようとする課題】
【０００５】  一般に、水銀灯は、体育館や工場などの照明、あるいは、道路や公園などの屋外を照明する街路灯として使用されている。このような水銀灯は、一般的に発光部がラグビーボールのような形状に細長く形成され、体育館や工場の天井もしくは床面、あるいは、道路や公園などの路面に対して垂直に設置される。特許文献１及び特許文献２に示された水銀灯の代替えとして用いられるＬＥＤランプにおいても、同様な向きに設置される。【０００６】  特許文献１及び特許文献２に示されたＬＥＤランプは、複数のＬＥＤチップがＬＥＤ基板に実装され、これらのＬＥＤチップから発光する光の照射方向がＬＥＤ基板と直角な方向に照射される。しかしながら、ＬＥＤは比較的指向性を有するため、ＬＥＤランプから発光する光は、床面または路面に対して水平方向に照射される。このため、設置されたＬＥＤランプの下方における床面または路面の照度が著しく減少する問題があった。【０００７】  本発明は、上述した問題点に鑑み、従来の照明器具のソケットにそのまま装着することができ、しかも、ＬＥＤランプの下方の床面または路面の照度を高めることができるＬＥＤランプを提供することを課題とする。
【課題を解決するための手段】
【０００８】  上記課題を解決するため、本発明によるＬＥＤランプは、屈曲可能なリードを備えるとともに、所定の照射角を有する砲弾型のＬＥＤと、表面側に複数の前記ＬＥＤを実装するＬＥＤ基板と、電源供給用のソケットに着脱可能に接続され、複数の前記ＬＥＤに上記ＬＥＤ基板を通じて電力を供給するための口金を備え、前記ＬＥＤは前記ＬＥＤ基板から離間させて前記リードを露出させるとともに所定角度屈曲させ、前記ＬＥＤ基板表面に対して前記ＬＥＤの照射方向を所定角度傾斜させたことを要旨としている。【０００９】  さらに、本発明のＬＥＤランプは、砲弾型のＬＥＤのリードを所定角度屈曲させることにより、前記ＬＥＤの照射方向を口金側の方向または前記口金とは反対側方向に所定角度傾斜させるようにしている。【００１０】  また、各々表面側に複数のＬＥＤが実装する複数のＬＥＤ基板は板状に形成され、前記ＬＥＤ基板は、前記ＬＥＤが実装された表面側が外方を向き、かつ隣り合う前記ＬＥＤ基板の一辺同士を互いに接合させて前記ＬＥＤ基板により多角形状の筒状に形成している。【００１１】  多角形状の筒状に形成した複数のＬＥＤ基板には、複数のＬＥＤが照射方向を口金側と反対方向に所定角度傾斜するようにリードを所定角度屈曲させて実装し、複数の前記ＬＥＤ基板によって形成された多角形状の開口側に配設される多角形基板には、垂直な照射方向とした複数のＬＥＤを実装することが望ましい。
【発明の効果】
【００１２】  本発明のＬＥＤランプによれば、砲弾型のＬＥＤのリードを所定角度屈曲させ、ＬＥＤ基板表面に対するＬＥＤの照射方向を所定角度傾斜させることにより、複数のＬＥＤによるＬＥＤランプの照射方向を所定の方向に設定することができる。【００１３】  このとき、リードを所定角度屈曲させて、ＬＥＤの照射方向を口金側の方向または口金とは反対側方向に所定角度傾斜させことにより、ＬＥＤランプを体育館や工場の天井もしくは床面、あるいは、道路や公園などの路面に対して垂直に設置しても、ＬＥＤランプの照射方向が下方の床面または路面の方向に向けられるので、これらの各面の照度を高めることができる。【００１４】  複数のＬＥＤが実装するＬＥＤ基板を板状に形成し、隣り合うＬＥＤ基板の一辺同士を互いに接合させて多角形状の筒状に形成することにより、従来の水銀灯とほぼ等価な形状に形成されるので、従来の水銀灯用の照明器具のソケットにそのまま装着して代用することができる。【００１５】  ＬＥＤランプを多角形状の筒状に形成したとき、多角形状の多角形基板を開口側に配設し、この多角形基板に垂直な照射方向とした複数のＬＥＤを実装することにより、これらの複数のＬＥＤが下方の床面または路面の方向を照射するので、床面または路面の照度をさらに高めることができる。
【図面の簡単な説明】
【００１６】
【図１】本発明に関わるＬＥＤランプの実施例を示す斜視図である。
【図２】ＬＥＤの照射方向を示す部分正面図である。
【図３】ＬＥＤランプの多角形基板を示す平面図である。
【図４】ＬＥＤランプを照明器具に装着した状態を示す側面図である。
【図５】ＬＥＤランプの他の実施例を示す側面図である。
【図６】図５に示すＬＥＤランプを照明器具に装着した状態を示す側面図である。
【発明を実施するための形態】
【００１７】  本発明によるＬＥＤランプは、屈曲可能なリードを備えるとともに、所定の照射角を有する砲弾型のＬＥＤと、表面側に複数の前記ＬＥＤを実装するＬＥＤ基板と、電源供給用のソケットに着脱可能に接続され、複数の前記ＬＥＤに上記ＬＥＤ基板を通じて電力を供給するための口金を備え、前記ＬＥＤは前記ＬＥＤ基板から離間させて前記リードを露出させるとともに所定角度屈曲させ、前記ＬＥＤ基板表面に対して前記ＬＥＤの照射方向を所定角度傾斜させている。
【実施例】
【００１８】  以下、図面に基づいて本発明の好適な実施例について説明する。図１は、本発明によるＬＥＤランプを示す斜視図である。ＬＥＤランプ１は、電源供給用ソケット（図示せず）に口金４を挿入して使用される。【００１９】  ＬＥＤランプ１は、表面側に配列された複数のＬＥＤ３が実装された８枚の平板状のＬＥＤ基板２と、電源供給用のソケット１０に着脱可能に電気的に接続される口金４と、この口金４に接続されてＬＥＤ３を点灯させるための点灯装置（図示しない）とが備えられている。【００２０】  口金４は、例えば水銀灯のソケットに装着するための回転式の口金４である。口金４は外周面に螺旋状の溝が形成され、対応する溝が形成された電源供給用ソケットに螺合して装着される。口金４は、ソケットから供給される交流電圧（例えば１００Ｖ）を、リード線を通じて点灯装置に供給する。【００２１】  点灯装置は、口金４より供給された交流電圧を所定の直流電圧に変換してＬＥＤ３を点灯させるための機能を備えている。この点灯装置によって変換された直流電圧は、リード線を通じてＬＥＤ基板１に供給される。また、点灯装置は、後述するように、８枚の平板状のＬＥＤ基板２によって中空の筒状に形成されたＬＥＤ基板２の内部に配設される。【００２２】  ＬＥＤ基板２は、図１に示すように、平面な円板状に形成され、その表面側には、例えば１０〜１００個の複数のＬＥＤ３が実装されている。このＬＥＤ基板２には、複数のＬＥＤ３に所定の直流電圧を送るように配線パターン（図示しない）が形成されている。【００２３】  ＬＥＤ３は、例えば白色等の可視光を発光させる砲弾型の発光ダイオードであり、例えば３０°乃至１２０°の照射角を有するＬＥＤから適宜選択する。ＬＥＤ３には、屈曲可能な金属素材によって形成されたリード３ａが備えられている。【００２４】  砲弾型のＬＥＤ３は、一般市販ＬＥＤと同じ構造であって、砲弾型の透明樹脂が凸レンズの作用として光を収束させるように構成され、半球状の先端側から光を照射するようになっている。また、円柱状の他端側の端面から２本のリード３ａを突出させている。そして、ＬＥＤ３は、他端側の端面からＬＥＤ基板１の表面側との間を離間させ、リード３ａが露出させるように実装されている。因みに、露出させるリード３ａの長さは、ＬＥＤ３の他端側外径寸法の１〜２倍が好ましい。この露出させたリード３ａを所定の角度θで屈曲させることにより、ＬＥＤ３の照射方向を図２に示すように、口金４の方向とは反対方向の下方に向けている。因みに図示の角度θは４５度に設定されているので、ＬＥＤ３の照射方向も、ＬＥＤ基板２の表面に対し４５度傾斜した下方になる。なお、ＬＥＤ３の端面から突出した２本のリード３ａは、屈曲方向と直行するように並べられている。【００２５】  平面な円板状に形成されたＬＥＤ基板２は、図１に示すように、各々表面側に複数のＬＥＤ３が実装され、このＬＥＤ３が実装された表面側が外方を向き、かつ隣り合うＬＥＤ基板２の一辺同士を互いに接合させることにより、多角形状の筒状に形成されている。図示のＬＥＤランプ１は、８枚のＬＥＤ基板２によって構成しているので、８角形の筒状に形成されている。【００２６】  筒状に形成された���ＥＤ基板２の一端側は、漏斗状に形成されたホルダー５に固着されている。ホルダー５の先細りの一端には、口金４が設けられている。また、複数のＬＥＤ基板２によって形成された筒状の内部は中空に形成され、その内部には、前述した点灯装置が配設される。【００２７】  筒状のＬＥＤ基板２の開口側は、多角形状に形成され、この開口側には、図１及び図２に示すように、多角形状の開口側に嵌合する形状の多角形基板６が配設されている。この多角形基板６には、図３に示すように、垂直な照射方向とした複数のＬＥＤ３が実装されている。【００２８】  このように構成されたＬＥＤランプ１は、図４において二点鎖線で示した一般に市販の例えば水銀灯用の照明器具７に装着される。照明器具７には電源供給用のソケット８が設けられ、ＬＥＤランプ１の口金４を回転して装着することにより、水銀灯の代用として使用することができる。また、照明器具７には上部から下部の開口端に至るに従って拡開したシェード７ａが設けられ、内部にＬＥＤランプ１が収納される。【００２９】  そして、図４に示す吊り下げ式の照明器具７にＬＥＤランプ１を装着し、ＬＥＤ３に通電して点灯させると、図２及び図４において点線で示すように、砲弾型のＬＥＤ３のリード３ａを４５度の角度で屈曲させることにより、ＬＥＤ基板２表面に対するＬＥＤ３の照射方向が、図２に示すように４５度傾斜した下方に向けられる。この結果、ＬＥＤランプ１によって、ＬＥＤランプを体育館や工場の天井もしくは床面、あるいは、道路や公園などの路面に対して垂直に設置しても、ＬＥＤランプの照射方向が下方の床面または路面の方向に向けられるので、これらの床面や路面の照度を高められる。【００３０】  また、ＬＥＤランプ１の筒状に形成されたＬＥＤ基板２の開口側に配設された多角形基板６にも複数のＬＥＤ３が実装され、これらＬＥＤ３の照射方向を、床面または路面に向けた垂直な下方にしているので、さらに床面や路面の照度を高められる。【００３１】  図５及び図６は、街路灯のような照明器具１１に装着されるＬＥＤランプ１０の他の実施例を示している。図５及び図６に示したＬＥＤランプ１０は、上述した実施例と同様に構成しているが、相違する点は、複数のＬＥＤ３の照射方向を、口金４側の方向に向けて傾斜させたことであり、前述の実施例と同部品は同符号を付し、その詳細な説明を省略する。【００３２】  この街路灯のような照明器具１１は、図６において二点鎖線で示すように、球状の透明または半透明のカバー１２が設けられ、下方に電源供給用のソケット１３が設けられている。そして、ＬＥＤランプ１０は、図６に示すように、口金４を下方にした姿勢で垂直に装着される。なお、図示下方が床面または路面である。このような姿勢で装着されるＬＥＤランプ１０は、複数のＬＥＤ３の照射方向を図６に示すように、口金４の方向側に向けて傾斜させている。【００３３】  そして、図６に示す街路灯用の照明器具１１にＬＥＤランプ１０を装着し、ＬＥＤ３に通電して点灯させると、砲弾型のＬＥＤ３の照射方向が、図６において点線で示すように、ＬＥＤ基板２表面に対するＬＥＤ３の照射方向が４５度傾斜した下方に向けられる。この結果、ＬＥＤランプ１０によって、Ｌ��Ｄランプを道路や公園などの路面に対して垂直に設置しても、ＬＥＤランプの照射方向が下方の路面の方向に向けられるので、路面の照度が高められる。【００３４】  以上、本発明を実施例に基づき具体的に説明したが、本発明は上記実施例に限定されるものではなく、その要旨を逸脱しない範囲で種々変形可能であることは言うまでもない。例えば、上述した実施例においては、８枚のＬＥＤ基板により、８角形の筒状に形成したが、ＬＥＤ基板を３枚以上使用した多角形に形成しても良い。また、ＬＥＤ基板の長さ適宜に変更して形状を変更しても良い。さらに、照射角が異なる数種類の砲弾型のＬＥＤを各ＬＥＤ基板毎、或いは、ＬＥＤ基板の上下方向で分割して実装し、床面や路面に対して照度を均一にしたり、或いは、周囲の照度分布を変えても良い。
【産業上の利用可能性】
【００３５】  本発明は、口金から電源が供給されるＬＥＤランプに適用可能である。
【符号の説明】
【００３６】１    ＬＥＤランプ
２    ＬＥＤ基板
３    ＬＥＤ
３ａ  リード
４    口金
６    多角形基板
７    照明器具
８    ソケット
【図１】
2014096342.tif 000003
【図２】
2014096342.tif 000004
【図３】
2014096342.tif 000005
【図４】
2014096342.tif 000006
【図５】
2014096342.tif 000007
【図６】
2014096342.tif 000008